(57)【要約】      （修正有）【課題】低温エリアへの冷気の供給を好適化して中間ダクトの下面領域における空気の滞留を解消し、中間ダクトの下面に結露が生じ商品上に滴下するのを防止できる２温度式のショーケースを提供する。【解決手段】陳列室３内を中間ダクト２４で低温エリアＡ１と高温エリアＡ２とに区分する２温度式のショーケースにおいて、冷気通路１２から中間ダクト２４内に導入された冷気を、中間ダクト２４の前端のダクト吹出口２８から吹き出して、低温エリアＡ１の前面にエアカーテンを形成する。陳列室３に臨む中間ダクト２４の後端下面に冷気案内体４３を配置して、中間ダクト２４の下面と冷気案内体４３との間に案内ダクト５１を区画し、シャッター壁の冷気供給口３４から案内ダクト５１内へ吹き出された冷気を、案内ダクト５１の前端に開口された送出口５３から中間ダクト２４の下面に沿って前向きに吹き出すようにする。【選択図】図１
2019074231.tif 000002
【特許請求の範囲】
【請求項１】
本体ケース（１）と、陳列室（３）を区画する内ケース（２）と、内ケース（２）の背面壁（２ａ）の後側に設けられる冷気通路（１２）とを備え、陳列室（３）の内部が、その上下中途部に設けられた中間ダクト（２４）で下側の低温エリア（Ａ１）と、上側の高温エリア（Ａ２）とに区分されている２温度式のショーケースであって、
中間ダクト（２４）は、内ケース（２）の背面壁（２ａ）に開口した装着窓（３２）に差し込まれて冷気通路（１２）と連通し、冷気通路（１２）から中間ダクト（２４）内に導入された冷気を、中間ダクト（２４）の前端のダクト吹出口（２８）から吹き出して、低温エリア（Ａ１）の前面にエアカーテンを形成しており、
冷気通路（１２）の内部に、装着窓（３２）を開閉するシャッター体（３３）が開閉自在に支持されており、
シャッター体（３３）のシャッター壁（３３ａ）と背面壁（２ａ）の両方、またはいずれか一方に、冷気通路（１２）の冷気を低温エリア（Ａ１）へ向かって吹き出す冷気供給口（３４）が開口されており、
陳列室（３）に臨む中間ダクト（２４）の後端下面の一側端から他側端にわたって冷気案内体（４３）が配置されて、中間ダクト（２４）の下面と冷気案内体（４３）との間に案内ダクト（５１）が区画され、案内ダクト（５１）の前端に送出口（５３）が開口されており、
冷気供給口（３４）から案内ダクト（５１）内へ吹き出された冷気が、前記送出口（５３）から中間ダクト（２４）の下面に沿って前向きに吹き出されることを特徴とする２温度式のショーケース。
【請求項２】
冷気供給口（３４）と正対する案内ダクト（５１）の後端に冷気の取入口（５２）が開口されており、
送出口（５３）の開口面積（Ｓ１）が、取入口（５２）の開口面積（Ｓ２）より小さく設定されている請求項１に記載の２温度式のショーケース。
【請求項３】
冷気案内体（４３）は、略水平な後側の第１案内壁（４４）と、第１案内壁（４４）よりも前方上側に設けられる略水平な第２案内壁（４５）と、第１案内壁（４４）の前縁と第２案内壁（４５）の後縁を連結する第３案内壁（４６）とを備えており、
第３案内壁（４６）が、第１案内壁（４４）から第２案内壁（４５）に向かって上り傾斜状に形成されている請求項１または２に記載の２温度式のショーケース。
【請求項４】
背面壁（２ａ）に多段状に配置された複数の装着窓（３２）が、１個の窓開口（３６）として形成されており、
窓開口（３６）が、各装着窓（３２）に対応して上下方向に並設される複数のシャッター体（３３）で閉鎖されている請求項１から３のいずれかひとつに記載の２温度式のショーケース。
【請求項５】
冷気通路（１２）から中間ダクト（２４）内に導入された冷気の全量が、中間ダクト（２４）の前端のダクト吹出口（２８）から吹き出される請求項１から４のいずれかひとつに記載の２温度式のショーケース。
【請求項６】
装着窓（３２）に差し込まれた中間ダクト（２４）は、陳列室（３）に設けられる陳列棚（１５）で支持されており、
陳列棚（１５）は、左右一対の棚ブラケット（１６）を備え、一対の棚ブラケット（１６）が本体ケース（１）に設けた棚柱（１９）で支持されており、
一対の棚ブラケット（１６）に冷気案内体（４３）の左右端がそれぞれ固定されて、陳列棚（１５）と冷気案内体（４３）とが一体化されている請求項１から５のいずれかひとつに記載の２温度式のショーケース。
【発明の詳細な説明】
【技術分野】
【０００１】
本発明は、中間ダクトで陳列室を低温エリアと、高温エリアとに区分した状態で商品を陳列できる２温度式のショーケースに関し、とくに低温エリアにおける冷気の供給構造の改良に関する。
【背景技術】
【０００２】
この種のショーケースは、例えば出願人の提案に係る特許文献１に開示されている。特許文献１に係るショーケースでは、中間ダクトの下壁の前縁部に第１吹出口が設けられ、中間ダクトの下壁の後端部に第２吹出口が設けられている。中間ダクトの後端に設けられた冷気導入口から中間ダクトの内部に導入された冷気は、第１および第２の吹出口から吹き出される。第１吹出口から吹き出された冷気は、低温エリアの前面にエアカーテンを形成している。また、第２吹出口から吹き出された冷気は、略下向きに指向しており、低温エリアの全体に冷気を行き渡らせるようにしている。
【０００３】
この種のショーケースは特許文献２にも開示されている。特許文献２に係るショーケースでは、中間ダクトの前端部に中間吹出口（第１吹出口）が設けられ、中間ダクトの下壁の中途部に吐出口（第２吹出口）が設けられている。中間ダクトの下壁は、前後の水平部と、これら水平部を連結するように前傾する傾斜部とを備えており、該傾斜部に第２吹出口が設けられている。中間ダクトの後端に設けられた導入口から中間ダクトの内部に導入された冷気の一部は第２吹出口から前方斜め下向きに吹き出される。特許文献２のショーケースでは、冷気を吸込口に向かうように前方向へ変向させ、低温エリアの前面に良好なエアカーテンを形成できる。
【先行技術文献】
【特許文献】
【０００４】
【特許文献１】特開２０１５−２１５１３１号公報（図４）
【特許文献１】特開２０１７−３８８６２号公報（図４）
【発明の概要】
【発明が解決しようとする課題】
【０００５】
特許文献１および特許文献２のショーケースにおいては、いずれも中間ダクト内に導入された冷気の一部を第２吹出口から吹き出すので、第１吹出口から吹き出される冷気の流速が低下し、外気が低温エリア内に侵入しやすい。また、第２吹出口から吹き出される冷気の吹出方向は、略下向きまたは前方斜め下向きに指向しているので、第２吹出口より前側における中間ダクトの下面領域には、冷気が供給されにくく侵入した外気が滞留しやすい。中間ダクトの下壁は、中間ダクトの内部を流れる冷気で冷却されているので、中間ダクトの下面領域に滞留した外気によって中間ダクトの下壁で結露が生じ滴下して、陳列棚に載置された商品を濡らすことがあり、衛生上問題がある。
【０００６】
本発明の目的は、低温エリアへの冷気の供給を好適化して中間ダクトの下面領域における空気の滞留を解消し、中間ダクトの下面に結露が生じ商品上に滴下するのを防止できる２温度式のショーケースを提供することにある。
【課題を解決するための手段】
【０００７】
本発明は、本体ケース１と、陳列室３を区画する内ケース２と、内ケース２の背面壁２ａの後側に設けられる冷気通路１２を備え、陳列室３の内部が、その上下中途部に設けられた中間ダクト２４で下側の低温エリアＡ１と、上側の高温エリアＡ２とに区分されている２温度式のショーケースを対象とする。中間ダクト２４は、内ケース２の背面壁２ａに開口した装着窓３２に差し込まれて冷気通路１２と連通し、冷気通路１２から中間ダクト２４内に導入された冷気の全量を、中間ダクト２４の前端のダクト吹出口２８から吹き出して、低温エリアＡ１の前面にエアカーテンを形成している。冷気通路１２の内部に、装着窓３２を開閉するシャッター体３３が開閉自在に支持されている。シャッター体３３のシャッター壁３３ａと背面壁２ａの両方、またはいずれか一方に、冷気を低温エリアＡ１へ向かって吹き出す冷気供給口３４が開口されている。陳列室３に臨む中間ダクト２４の後端下面の一側端から他側端にわたって冷気案内体４３が配置されて、中間ダクト２４の下面と冷気案内体４３との間に案内ダクト５１が区画され、案内ダクト５１の前端に送出口５３が開口されている。そして、冷気供給口３４から案内ダクト５１内へ吹き出された冷気が、前記送出口５３から中間ダクト２４の下面に沿って前向きに吹き出されることを特徴とする。
【０００８】
冷気供給口３４と正対する案内ダクト５１の後端に冷気の取入口５２が開口されている。送出口５３の開口面積Ｓ１が、取入口５２の開口面積Ｓ２より小さく設定されていることが好ましい。
【０００９】
冷気案内体４３は、略水平な後側の第１案内壁４４と、第１案内壁４４よりも前方上側に設けられる略水平な第２案内壁４５と、第１案内壁４４の前縁と第２案内壁４５の後縁を連結する第３案内壁４６とを備えている。第３案内壁４６が、第１案内壁４４から第２案内壁４５に向かって上り傾斜状に形成されている形態を採ることができる。
【００１０】
背面壁２ａに多段状に配置された複数の装着窓３２が、１個の窓開口３６として形成されている。窓開口３６が、各装着窓３２に対応して上下方向に並設される複数のシャッター体３３で閉鎖されている形態を採ることができる。
【００１１】
冷気通路１２から中間ダクト２４内に導入された冷気の全量が、中間ダクト２４の前端のダクト吹出口２８から吹き出されるように構成することが好ましい。
【００１２】
装着窓３２に差し込まれた中間ダクト２４は、陳列室３に設けられる陳列棚１５で支持されている。陳列棚１５は、左右一対の棚ブラケット１６を備え、一対の棚ブラケット１６が本体ケース１に設けた棚柱１９で支持されている。一対の棚ブラケット１６に冷気案内体４３の左右端がそれぞれ固定されて、陳列棚１５と冷気案内体４３とが一体化されている形態を採ることができる。
【発明の効果】
【００１３】
本発明の２温度式のショーケースにおいては、中間ダクト２４の後端下面に冷気案内体４３を配置して、中間ダクト２４の下面と冷気案内体４３との間に案内ダクト５１を区画し、冷気供給口３４から案内ダクト５１内へ吹き出された冷気が、案内ダクト５１の送出口５３から中間ダクト２４の下面に沿って前向きに吹き出すようにした。こうしたショーケースによれば、案内ダクト５１の送出口５３から吹き出した冷気を中間ダクト２４の下面領域に沿ってエアカーテン側へ流動させて循環させ、あるいは低温エリアＡ１内で拡散させるので、低温エリアＡ１内に外気が侵入した場合でも、中間ダクト２４の下面領域に外気が滞留するのを防止できる。また、案内ダクト５１から吹き出される冷気が、常時中間ダクト２４の下面に沿って吹き出されるので、中間ダクト２４の下面の温度と、中間ダクト２４の下面領域の空気の温度との温度差を著しく小さくできるので、中間ダクト２４の下面に結露が生じるのを効果的に防止できる。以上のように、本発明によれば、低温エリアＡ１への冷気の供給を好適化して中間ダクト２４の下面領域における空気の滞留を解消し、中間ダクトの下面に結露が生じ商品上に滴下するのを防止できる。
【００１４】
案内ダクト５１において、送出口５３の開口面積Ｓ１を取入口５２の開口面積Ｓ２より小さく設定すると、案内ダクト５１の流路断面は、冷気の入口側よりも出口側の方が小さくなるので、送出口５３における冷気の吹き出し速度を冷気供給口３４における冷気の吹き出し速度よりも高めることができる。これにより、低温エリアＡ１に供給される冷気の一部を案内ダクト５１で中間ダクト２４の下面に沿って的確に流動させ、中間ダクト２４の下面領域に外気が滞留するのを解消できる。
【００１５】
冷気案内体４３は、略水平な後側の第１案内壁４４および第２案内壁４５と、第１案内壁４４の前縁と第２案内壁４５の後縁を連結する第３案内壁４６とを備え、第３案内壁４６を第１案内壁４４から第２案内壁４５に向かって上り傾斜状に形成した。こうした冷気案内体４３によれば、第３案内壁４６で案内ダクト５１の流路断面を徐々に小さくして、当該流路断面が急激に小さくなることによる圧力損失を低減できる。従って、送出口５３における冷気の流速を十分に高めて、冷気を中間ダクト２４の下面に沿ってより的確に流動させ、中間ダクト２４の下面の近傍領域に外気が滞留するのを解消できる。
【００１６】
背面壁２ａに多段状に配置された複数の装着窓３２を、１個の窓開口３６として形成し、窓開口３６を、各装着窓３２に対応して上下方向に並設される複数のシャッター体３３で閉鎖した。これによれば、中間ダクト２４が差し込まれる装着窓３２を変更することにより、陳列する商品に応じで陳列室３に区分される低温エリアＡ１の領域を大小に変更できる。これにより、陳列商品の内容に応じて陳列室３の内部を低温エリアＡ１と高温エリアＡ２とに無駄なく区分できる。加えて、背面壁２ａに複数の独立した装着窓３２を多段状に形成する場合に比べて、装着窓３２の形成を容易化でき、また、隣り合う装着窓３２の間の仕切部分がない分、装着窓３２の隣接ピッチをより小さくできるので、陳列室３の内部を低温エリアＡ１と高温エリアＡ２とにより無駄なく区分できる。
【００１７】
冷気通路１２から中間ダクト２４内に導入された冷気の全量を、中間ダクト２４の前端のダクト吹出口２８から吹き出すようにすると、商品の出し入れ時にも影響を受けにくい流速の大きい良好なエアカーテンを形成できるので、陳列室３内へ侵入した外気による結露の発生を効果的に抑制できる。
【００１８】
装着窓３２に差し込まれた中間ダクト２４を、陳列室３に設けられる陳列棚１５で支持する。また、陳列棚１５が備える一対の棚ブラケット１６に冷気案内体４３の左右端をそれぞれ固定して、陳列棚１５と冷気案内体４３とを一体化する。これらによれば、陳列棚１５に中間ダクト２４の支持構造と冷気案内体４３の装着構造とを集約するので、背面壁２ａあるいは陳列室３の左右壁に前記支持構造および装着構造を設ける場合に比べて、陳列室３内の構造が複雑化するのを解消できる。従って、中間ダクト２４の上下位置を変更するとき、陳列棚１５および中間ダクト２４のみを移動させるだけでよく、冷気案内体４３を設けたことによる棚位置変更の手間を省くことができる。
【図面の簡単な説明】
【００１９】
【図１】本発明の実施例１に係る２温度式のショーケースの要部を示す縦断側面図である。
【図２】２温度式のショーケースの概略構造を示す縦断側面図である。
【図３】２温度式のショーケースの正面図である。
【図４】案内ダクトとその周辺構造を示す縦断側面図である。
【図５】装着窓および棚柱から中間ダクトおよび陳列棚を分離した状態を示す縦断側面図である。
【図６】図５におけるＡ−Ａ線断面図である。
【図７】陳列室内部の正面図である。
【図８】図７におけるＢ−Ｂ線断面図である。
【図９】本発明の実施例２に係る２温度式のショーケースの要部を示す縦断側面図である。
【発明を実施するための形態】
【００２０】
（実施例１）  図１から図８に、本発明に係る２温度式のショーケースの実施例１を示す。この実施例における前後、左右、上下とは、図１、図２および図３に示す交差矢印と、各矢印の近傍に表記した前後、左右、上下の表示に従う。図２においてショーケースは、前面が開口する断熱箱体で形成される本体ケース１と、本体ケース１の内側に配置される内ケース２とを備えており、内ケース２で陳列室３が区画され、両ケース１・２の間に循環空気通路４が区画されている。内ケース２は、その背面壁２ａが後傾する側面視略コ字状に形成されている。陳列室３の下端前部には吸込口５が設けられ、陳列室３の上端前部には吹出口６が設けられており、循環空気通路４は吸込口５から吹出口６にわたって形成されている。
【００２１】
循環空気通路４には、循環ファン９と蒸発器１０が配置されている。詳しくは、循環空気通路４の下通路４ａに循環ファン９が配置され、循環空気通路４の縦通路４ｂの下部に蒸発器１０が配置されている。縦通路４ｂの下半部には、同通路４ｂを前後に区分する区分壁１１が設けられて、区分壁１１の前側に冷気通路１２が形成されている。区分壁１１の上半部は内ケース２の背面壁２ａと平行に設けられており、蒸発器１０は冷気通路１２の下部に設けられている。蒸発器１０より上側の冷気通路１２の左右には、正面視コ字状の隔壁１１ａが設けられており（図７参照）、冷気通路１２の左右寸法は、循環空気通路４の左右寸法よりも小さく設定されている。蒸発器１０には、ショーケースの外部に配置された圧縮機、膨張器などを含む冷凍ユニットから高温高圧の冷媒液が供給される。図３において符号２ｂ・２ｃは開口群であり、開口群２ｂは直接、また開口群２ｃは図示していない連通構造を介して冷気通路１２を流れる冷気の一部を低温エリアＡ１に供給している。区分壁１１の上端には、シーズヒーターからなるヒーター１３が配置されており、高温エリアＡ２の内部温度を常温より高く設定する場合には、ヒーター１３に通電して循環空気通路４の空気を加温したのち吹出口６から吹出す。
【００２２】
陳列室３には、複数の陳列棚１５が設けられている。図１および図３に示すように陳列棚１５は、左右一対の棚ブラケット１６と、一対の棚ブラケット１６の前端どうしおよび後端どうしを連結する前後一対の棚枠１７と、一対の棚枠１７で支持されるガラス製の棚板１８とで構成される。陳列棚１５の左右寸法は、陳列室３の左右方向の内法寸法より僅かに小さく設定されている。一対の棚ブラケット１６は内ケース２の背面壁２ａの左右に配置された左右一対の棚柱１９で支持されている。詳しくは、図５および図６に示すように棚ブラケット１６の後端に、４個の掛止爪２０が一体に形成されており、棚柱１９に形成された一群の掛止孔２１に掛止爪２０を掛止装着することにより、一対の棚ブラケット１６は一対の棚柱１９で片持ち状に支持される。一群の掛止孔２１は上下方向に所定の間隔をあけて並設されており、掛止爪２０を掛止装着する掛止孔２１を変更することで、陳列室３の任意の高さ位置に陳列棚１５を設けることができる。本実施例に係るショーケースには、後述する中間ダクト２４を支持する支持片３９を備える陳列棚１５Ａと、前記支持片３９を備えていない陳列棚１５Ｂとが設けられており、両者１５Ａ・１５Ｂは、棚ブラケット１６の形状が異なるだけで他の構成は同一である。陳列棚１５Ａは後述する装着窓３２に正対する位置に設けられる。
【００２３】
陳列室３の内部は、陳列室３の上下中途部に設けられた中間ダクト２４で、中間ダクト２４よりも下側の低温エリアＡ１と、中間ダクト２４より上側の高温エリアＡ２とに区分されている。図１および図３に示すように中間ダクト２４は、上下に偏平な中空箱状に形成されるダクト本体２５と、ダクト本体２５の後端に一体に形成されて、冷気通路１２を介して供給される冷気をダクト本体２５に導入するダンパー部２６とを備えている。ダンパー部２６は下面および前面が開口する四角箱状に形成されている。ダンパー部２６の前側の開口は、ダクト本体２５の内部に連通しており、下面の開口がダクト本体２５に冷気を導入する冷気導入口２７となっている。ダクト本体２５の前端部には、下壁の左右端にわたってダクト吹出口２８が設けられている。冷気導入口２７からダクト本体２５に導入された冷気の全量は、ダクト吹出口２８から吸込口５に向かって吹き出される。このように、中間ダクト２４に導入された冷気の全量をダクト吹出口２８から吹き出すと、商品の出し入れ時にも影響を受けにくい流速の大きな良好なエアカーテンを形成できるので、陳列室３内へ侵入した外気による結露の発生を効果的に抑制できる。ダクト本体２５の左右寸法は、陳列棚１５の左右寸法よりも僅かに小さく設定され、ダンパー部２６の左右寸法は、冷気通路１２の左右寸法と略同一に設定されている。これより、中間ダクト２４は平面視において略凸字状に形成されている。図１および図５において、符号２９はマグネットを内包したシール体である。
【００２４】
図３に示すように、蒸発器１０より上側の冷気通路１２に臨む背面壁２ａには複数の装着窓３２が多段状に設けられており、該装着窓３２のひとつに中間ダクト２４のダンパー部２６が差し込まれる。冷気通路１２の内部には、装着窓３２を開閉するシャッター体３３が開閉自在に支持されている。本実施例においては、図７および図８に示すように、背面壁２ａに多段状に配置された複数の装着窓３２は、１個の窓開口３６として形成されており、該窓開口３６は、各装着窓３２に対応して上下方向に並設される複数のシャッター体３３で閉鎖されている。このような構成によれば、中間ダクト２４が差し込まれる装着窓３２を変更することにより、陳列する商品に応じで陳列室３に区分される低温エリアＡ１の領域を大小に変更できる。これにより、陳列商品の内容に応じて陳列室３の内部を低温エリアＡ１と高温エリアＡ２とに無駄なく区分できる。加えて、背面壁２ａに複数の独立した装着窓３２を多段状に形成する場合に比べて、装着窓３２の形成を容易化でき、また、隣り合う装着窓３２の間の仕切部分がない分、装着窓３２の隣接ピッチをより小さくできるので、陳列室３の内部を低温エリアＡ１と高温エリアＡ２とにより無駄なく区分できる。
【００２５】
シャッター体３３の前壁であるシャッター壁３３ａには、一群の冷気供給口３４が貫通状に形成されている（図７参照）。このように、冷気通路１２の内部において各装着窓３２に設けられるシャッター体３３のシャッター壁３３ａに、一群の冷気供給口３４を貫通形成すると、冷気通路１２と陳列室３とを冷気供給口３４を介して連通させることができるので、低温エリアＡ１への冷気の供給構造を簡素化できる。シャッター体３３はその左右端の上部が、左右の隔壁１１ａに設けた左右一対のピン３５で、装着窓３２を閉鎖する閉鎖姿勢と、装着窓３２を開放する開放姿勢とに開閉自在に支持されている。常態におけるシャッター体３３は、その重心位置がピン３５の下方に位置することで自身の重量で閉鎖姿勢に位置保持されている。また、装着窓３２に中間ダクト２４を差し込むことにより、シャッター体３３は、ダンパー部２６で後方に向かって揺動操作されたのちダンパー部２６の上面で受止められて開放姿勢に姿勢変更される。装着窓３２から中間ダクト２４を分離することにより、開放姿勢あるシャッター体３３は自身の重量で閉鎖姿勢へと姿勢変更される。
【００２６】
中間ダクト２４は、ダンパー部２６を装着窓３２の正面において正対させ奥側に向かって差込むことにより装着できる。図１に示すように、ダンパー部２６が装着窓３２に差し込まれた中間ダクト２４は、同中間ダクト２４の左右縁に外向きに突出形成された左右一対の翼片３８が、陳列棚１５Ａを構成する一対の棚ブラケット１６にそれぞれ内向きに突出形成された支持片３９で受止められることにより、陳列棚１５Ａで支持される。また、ダクト本体２５の左右側壁に固定される雄連結体４０と、棚ブラケット１６に固定される横臥Ｖ字状の雌連結体４１とが係合することにより、中間ダクト２４は陳列棚１５Ａに対して抜け止め保持される。なお、中間ダクト２４は陳列棚１５Ａで支持されるので、装着窓３２に差し込まれた中間ダクト２４の翼片３８を棚ブラケット１６の支持片３９で受止められる高さ位置に対応した棚柱１９の掛止孔２１に棚ブラケット１６の掛止爪２０を掛止装着しておく必要がある。ダンパー部２６が装着窓３２に差し込まれた状態においては、ダンパー部２６が冷気通路１２に侵入し、ダンパー部２６の後端のシール体２９が区分壁１１の前面にマグネットの磁気吸着力で密着する。これにより、冷気通路１２はダンパー部２６により中途部で遮断される。
【００２７】
循環ファン９を駆動すると、吸込口５から吹出口６へ向かう空気の流れが形成され、循環ファン９を通過した空気の大半は冷気通路１２に流れ込み、残りが縦通路４ｂを流れて吹出口６から吸込口５に向かって吹き出される。図２に示すように、吹出口６から吹き出された空気は、陳列室３の前面にエアカーテンを形成する。冷気通路１２に流れ込んだ空気は蒸発器１０で熱交換されて冷却され、当該熱交換後の冷気はダンパー部２６で堰き止められ、冷気導入口２７からダクト本体２５内へと導入される。導入された当該冷気はダクト本体２５のダクト吹出口２８から吸込口５に向かって吹出され、低温エリアＡ１の前面にエアカーテンを形成する。低温エリアＡ１の前面には、吹出口６から吹き出された空気によるエアカーテンと、ダクト吹出口２８から吹き出された冷気によるエアカーテンの２重のエアカーテンが形成される。
【００２８】
中間ダクト２４が差し込まれた装着窓３２より下側に位置するシャッター体３３の冷気供給口３４は、冷気通路１２を流れる冷気を低温エリアＡ１に供給している。また、上下に隣り合うシャッター体３３間の僅かな隙間Ｇからも冷気通路１２を流れる冷気が低温エリアＡ１に供給される。なお、中間ダクト２４が差し込まれた装着窓３２より上側に位置するシャッター体３３の冷気供給口３４および開口群２ｃは、冷気通路１２がダンパー部２６で遮断されているため、中間ダクト２４より上側の冷気通路１２を介して循環空気通路４を流れる空気が高温エリアＡ２に供給される。
【００２９】
図３および図４に示すように、陳列室３に臨む中間ダクト２４の後端下面の一側端から他側端にわたって冷気案内体４３が配置されている。冷気案内体４３は、陳列棚１５Ａに支持されており、略水平な後側の第１案内壁４４と、第１案内壁４４よりも前方上側に設けられる略水平な第２案内壁４５と、第１案内壁４４の前縁と第２案内壁４５の後縁を連結する平板状の第３案内壁４６とを一体に備えている。第３案内壁４６は、第１案内壁４４から第２案内壁４５に向かって上り傾斜状に形成されている。第１および第３の案内壁４４・４６の左右端には、それぞれ締結片４７が上向きに折曲げ形成されており、陳列棚１５Ａの棚ブラケット１６に締結片４７をリベット４８で締結固定することにより、冷気案内体４３は陳列棚１５Ａに一体化されている。
【００３０】
上記のように、装着窓３２に差し込まれた中間ダクト２４を、陳列室３に設けられる陳列棚１５（陳列棚１５Ａ）で支持する。また、陳列棚１５が備える一対の棚ブラケット１６に冷気案内体４３の左右端をそれぞれ固定して、陳列棚１５と冷気案内体４３とを一体化する。これらによれば、陳列棚１５に中間ダクト２４の支持構造と冷気案内体４３の装着構造とを集約するので、背面壁２ａあるいは陳列室３の左右壁に前記支持構造および装着構造を設ける場合に比べて、陳列室３内の構造が複雑化するのを解消できる。従って、中間ダクト２４の装着位置を変更するとき、陳列棚１５および中間ダクト２４のみを移動させるだけでよく、冷気案内体４３を設けたことによる棚位置変更の手間を省くことができる。
【００３１】
中間ダクト２４が、装着窓３２に差し込まれ陳列棚１５Ａで支持された状態においては、中間ダクト２４の下面と冷気案内体４３との間に案内ダクト５１が区画されている。冷気供給口３４と正対する案内ダクト５１の後端に冷気の取入口５２が開口されており、案内ダクト５１の前端に冷気の送出口５３が開口されている。中間ダクト２４が装着された装着窓３２の直下に位置するシャッター体３３の冷気供給口３４、当該シャッター体３３の下側の隙間Ｇ、およびダンパー部２６が差し込まれた装着窓３２の一部から低温エリアＡ１に供給される冷気が、取入口５２から案内ダクト５１に導入される。案内ダクト５１に導入された冷気は、送出口５３から前向きに送り出され、中間ダクト２４の下面に沿って前向きに吹き出される。これにより、案内ダクト５１から吹き出した冷気を中間ダクト２４の下面領域に沿ってエアカーテン側へ流動させて循環させ、あるいは低温エリアＡ１内で拡散させることができる。
【００３２】
図４に示すように、送出口５３における開口面積Ｓ１は、取入口５２における開口面積Ｓ２より小さく設定されている。このように、前者の開口面積Ｓ１を後者の開口面積Ｓ２よりも小さく設定すると、案内ダクト５１の流路断面は、冷気の入口側よりも出口側の方が小さくなるので、送出口５３における冷気の吹き出し速度を冷気供給口３４における冷気の吹き出し速度よりも高めることができる。これにより、低温エリアＡ１に供給される冷気の一部を案内ダクト５１で中間ダクト２４の下面に沿って的確に流動させ、中間ダクト２４の下面領域に外気が滞留するのを解消できる。
【００３３】
また、第１案内壁４４から第２案内壁４５に向かって上り傾斜状に形成した第３案内壁４６を備える冷気案内体４３によれば、第３案内壁４６で案内ダクト５１の流路断面を徐々に小さくして、当該流路断面が急激に小さくなることによる圧力損失を低減できる。従って、送出口５３における冷気の流速を十分に高めて、冷気を中間ダクト２４の下面に沿ってより的確に流動させ、中間ダクト２４の下面の近傍領域に温かい空気や外気が滞留するのを解消できる。なお、第３案内壁４６は平板状である必要はなく、突孤状あるいは凹孤状に形成してもよい。また、第３案内壁４６と第１および第２の案内壁４４・４５の連結部分を丸めることもできる。要は、案内ダクト５１の流路断面が急激に小さくなることを避けるように各案内壁４４・４５・４６を形成すればよい。
【００３４】
中間ダクト２４を支持していない陳列棚１５Ａ（図２において陳列室３の下から２段目の陳列棚１５）においても、冷気案内体４３が設けられている。これにより、当該陳列棚１５Ａの棚板１８と冷気案内体４３との間に位置する冷気供給口３４から低温エリアＡ１に供給された冷気を、冷気案内体４３で案内して棚板１８の下面に向かって流動するようにしている。そのため、当該陳列棚１５Ａの下面においても空気が攪拌され、冷気より温度の高い外気が棚板１８の下面に滞留しにくくなっており、棚板１８の下面で結露が生じ商品上に滴下するのを抑制している。また、本実施例では、図２および図３に示すように、最下段の陳列棚１５Ｂにおいても冷気案内体４３を設けた。これにより、開口群２ｂから低温エリアＡ１に供給された冷気を、冷気案内体４３で案内して棚板１８の下面に向かって流動するようにしている。そのため、上記と同様に棚板１８の下面で結露が生じ商品上に滴下するのを抑制している。
【００３５】
（実施例２）  図９に、本発明に係る２温度式のショーケースの実施例２を示す。そこでは、複数の装着窓３２を独立した状態で開口し、冷気通路１２の内部において各装着窓３２を開閉するシャッター体３３をそれぞれ開閉自在に支持した。冷気供給口３４は、シャッター体３３のシャッター壁３３ａに加え、上下に隣り合う装着窓３２を仕切る背面壁２ａにも開口した。本実施例においては、シャッター体３３および背面壁２ａに開口された冷気供給口３４から吹き出される冷気が、取入口５２から案内ダクト５１に導入される。なお、シャッター壁３３ａに開口した冷気供給口３４は省略することもできる。他は実施例１と同じであるので、同じ部材に同じ符号を付してその説明を省略する。以下の実施例においても同様とする。
【００３６】
以上のように、本実施例に係る２温度式のショーケースによれば、案内ダクト５１の送出口５３から吹き出した冷気を中間ダクト２４の下面領域に沿ってエアカーテン側へ流動させて循環させ、あるいは低温エリアＡ１内で拡散させるので、低温エリアＡ１内に外気が侵入した場合でも、当該領域に外気が滞留するのを防止できる。また、案内ダクト５１から吹き出される冷気が、常時中間ダクト２４の下面に沿って吹き出されるので、中間ダクト２４の下面の温度と、中間ダクト２４の下面領域の空気の温度との温度差を著しく小さくできるので、中間ダクト２４の下面に結露が生じるのを効果的に防止できる。以上のように、本実施例によれば、低温エリアＡ１への冷気の供給を好適化して中間ダクト２４の下面領域における空気の滞留を解消し、中間ダクトの下面に結露が生じ商品上に滴下するのを防止できる。
【００３７】
上記の実施例では、冷気案内体４３と陳列棚１５とを一体化したが、例えばダクト本体２５から下向きに突設した左右一対のブラケットに冷気案内体４３を固定し、中間ダクト２４と冷気案内体４３とを一体化してもよい。また、棚ブラケット１６、中間ダクト２４、あるいは背面壁２ａに別途冷気案内体４３の装着構造を設けて、当該装着構造に対して冷気案内体４３を着脱できるように構成してもよい。中間ダクト２４も陳列棚１５で支持する必要はなく、背面壁２ａあるいは陳列室３の左右の側壁に中間ダクト２４の支持構造を設けてもよい。装着窓３２は１４個に限らず、１４個より多くてもよいし少なくてもよい。ダクト本体２５の後端に複数のダンパー部２６を多段状に設けて、複数の装着窓３２に対してダンパー部２６を差し込むようにしてもよい。この場合には、シール体２９は最上段のダンパー部２６にのみ設ける。
【００３８】
また、陳列室３に設けられるすべての陳列棚１５を、中間ダクト２４を支持する支持片３９を備えている陳列棚１５Ａで構成してもよい。内ケース２の背面壁２ａは、垂直壁で構成することができ、この場合には、区分壁１１も背面壁２ａと平行な垂直壁で構成する。シャッター体３３を閉鎖姿勢に付勢するキックばねなどの付勢部材を設けて、付勢部材の付勢力でシャッター体３３を閉鎖姿勢に保持することができる。
【符号の説明】
【００３９】
１  本体ケース
２  内ケース
２ａ  背面壁
３  陳列室
５  吸込口
１２  冷気通路
１５  陳列棚
１６  棚ブラケット
１９  棚柱
２４  中間ダクト
２８  ダクト吹出口
３２  装着窓
３３  シャッター体
３３ａ  シャッター壁
３４  冷気供給口
３６  窓開口
４０  雄連結体
４１  雌連結体
４３  冷気案内体
４４  第１案内壁
４５  第２案内壁
４６  第３案内壁
５１  案内ダクト
５２  取入口
５３  送出口
Ａ１  低温エリア
Ａ２  高温エリア
Ｓ１  送出口の開口面積
Ｓ２  取入口の開口面積
【図１】
2019074231.tif 000003
【図２】
2019074231.tif 000004
【図３】
2019074231.tif 000005
【図４】
2019074231.tif 000006
【図５】
2019074231.tif 000007
【図６】
2019074231.tif 000008
【図７】
2019074231.tif 000009
【図８】
2019074231.tif 000010
【図９】
2019074231.tif 000011